(57)【要約】【課題】  表示動作に多様性を持たせた携帯電話装置を提供する。【解決手段】  受信した受信信号の信号処理を行う信号処理部と、ボタン・操作ダイヤル部と、上記ボタン・操作ダイヤル部の向きに従って縦長とされた液晶画面部及びカメラを備えた携帯電話装置において、上記特定ボタン操作に従って上記信号処理部により上記受信信号に対応した表示信号又は上記カメラで撮影した画素信号を上記液晶表示画面部に対して９０°の単位で回転させて表示させるようにする。【選択図】  図１
2005286562.tif 000002
【特許請求の範囲】
【請求項１】
受信した受信信号の信号処理を行う信号処理部と、
ボタン・操作ダイヤル部と、
上記ボタン・操作ダイヤル部の向きに従って縦長とされた液晶画面部とを備え、
上記信号処理部は、上記ボタン・操作ダイヤル部に設けられた特定ボタン操作に従って上記受信信号に対応した表示信号を上記液晶表示画面部に対して９０°の単位で回転させて表示させる信号処理を行うことを特徴とする携帯電話装置。
【請求項２】
請求項１において、
上記特定ボタン操作は、画面回転ボタンを一定時間以上操作し続けることにより９０°の単位での回転を指示する信号を形成するものであることを特徴とする携帯電話装置。
【請求項３】
請求項１において、
カメラを更に備え、
上記信号処理部は、上記カメラにより撮像した画像データに対しても上記特定ボタン操作により上記液晶表示画面に対して９０°の単位での回転を行うことを特徴とする携帯電話装置。
【発明の詳細な説明】
【技術分野】
【０００１】
本発明は、携帯電話装置に関し、例えばインターネット配信された動画等の表示機能を持つものに利用して有効な技術に関するものである。
【背景技術】
【０００２】
ゲームを行える携帯電話装置において、表示部の表示方向を９０°回転させる表示機能を持たせた例として、特開２００１−３３９４９５公報がある。
【特許文献１】特開２００１−３３９４９５公報
【発明の開示】
【発明が解決しようとする課題】
【０００３】
携帯電話装置においては、図４に示すように表示画面は、例えば４．５ｃｍ×３．５ｃｍ程度の縦長画面である。かかる表示画面において、例えばインターネット配信される動画コンテンツを見る場合には縦長の表示となる。例えば、同図のようにアメリカンフットボールのようなスポーツ番組は、もともとが横長のテレビジョン受像機に向けて形成されているために、上記のような縦長画面で表示すると、両側が切り捨てられることとなるために全体が把握できずに見にくく違和感がある。そこで、本願発明者においては、上記のような動画コンテンツを見る場合に限らず、その用途や表示内容に応じて柔軟に適用できる表示機能を持たせることを考えた。
【０００４】
この発明の目的は、表示動作に多様性を持たせた携帯電話装置を提供することにある。この発明の前記ならびにそのほかの目的と新規な特徴は、本明細書の記述および添付図面から明らかになるであろう。
【課題を解決するための手段】
【０００５】
本願において開示される発明のうち代表的なものの概要を簡単に説明すれば、下記の通りである。すなわち、受信した受信信号の信号処理を行う信号処理部と、ボタン・操作ダイヤル部と、上記ボタン・操作ダイヤル部の向きに従って縦長とされた液晶画面部とを備え、上記特定ボタン操作に従って上記信号処理部により上記受信信号に対応した表示信号を上記液晶表示画面部に対して９０°の単位で回転させて表示させる。
【発明の効果】
【０００６】
使用形態に合わせて最適な状態で液晶画面部に表示動作を行わせることができる。
【発明を実施するための最良の形態】
【０００７】
図１には、この発明に係る携帯電話装置の一実施例の表面図が示されている。同図においては、折り畳み式携帯電話を開いた状態（初期画面）を左側に、動画表示時（横長）を右側に示している。この実施例の携帯電話装置は、折り畳み式の下側半分にはボタン・操作ダイヤル部とマイク（送話部）が配置され、上側半分には液晶画面とスピーカ（受話部）が配置されている。上記液晶画面は、特に制限されないが、４．５ｃｍ×３．５ｃｍ程度の大きさの縦長画面である。つまり、ボタン・操作ダイヤル部の文字の方向を基準にして上記縦長とされる。そして、上側半分の裏面側（折り畳みんだ状態での外側）上部には点線で示したようにカメラが設けられている。
【０００８】
この実施例では、上記ボタン・操作ダイヤル部に、画面回転ボタンが設けられている。この画面回転ボタンを操作することにより、上記液晶画面での表示を９０°単位で反時計方向に回転させるようにする。同図の右側に示した携帯電話操作では、上記画面回転ボタンの操作によって動画表示時（横長）での表示動作を示している。例えは、インターネット接続により配信された動画コンテンツを見る場合、ワイド型テレビ等と同様に横長表示を行うようにするものである。これにより、配信ソース側で予め横向きにしておくような信号変換処理を不用にすることができる。上記左側の初期画面は、電話やメールといった基本的な機能のときに有効であり、送信メールの入力や、受信メールの表示に利用される。
【０００９】
上記のように電話やメールといった基本的な機能のときのボタン操作において、誤って上記画面回転ボタンをオンさせてしまうことがある。このような誤った操作によって、画面が回転したのでは却って使いずらいものになってしまう。そこで、上記画面回転ボタンは、例えば３秒等のようにボタン操作としては比較的長い時間オンしつづけることによっで上記画面回転を指示するようにされている。
【００１０】
図２には、この発明に係る携帯電話装置の他の一実施例の表面図が示されている。同図においては、前記図１と同様に折り畳み式携帯電話を開いた状態を示しており、更に画面回転ボタンを前記のように操作した場合であり、左側には１８０°回転させた場合、右側には更に９０°つまりは初期画面からは２７０°回転させた場合が示されている。左側のように１８０°回転させた状態では、他人に電話番号や受信したメール画面を見せる場合等に重宝する。右側には前記図１と同様に動画コンテンツを見る場合の例が示されているが、カメラ操作のときに写真を横長表示する場合に有効となる。例えば、右ききの人が横長写真を撮るときに右手側にボタン・操作ダイヤル部がくるので操作し易くなる。逆に左ききの人は、図１の動画コンテンツ表示のように反時計方向に９０°回転させると、左手側にボタン・操作ダイヤル部がくるので操作し易くなる。
【００１１】
図３には、液晶駆動回路に対するインストラクション入力設定例が示されている。制御部にはＲ／ＷとＲＣの２ビットが割り当てられ、１６ビットのデータバスに対応したデータビットＤＢ１５〜ＤＢ０のうち、下位４ビットＤＢ３〜ＤＢ０に割り当てられた表示制御信号ＴＴ３〜ＴＴ０は、上記９０°毎の表示を指示するものである。例えば、ＴＴ３〜ＴＴ０（０００１）のときには上記図１の左側のような基本画面を指示し、ＴＴ３〜ＴＴ０（００１０）のときには上記図１の右側のよう反時計方向に９０°回転表示を指示し、ＴＴ３〜ＴＴ０（０１００）のときには上記図２の左側のように反時計方向に１８０°回転表示を指示し、ＴＴ３〜ＴＴ０（１０００）のときには上記図３の右側のよう反時計方向に２７０°回転表示を指示する。
【００１２】
つまり、画面回転ボタンを１回前記のように操作する毎に、ＴＴ３〜ＴＴ０は、０００１→００１０→０１００→１０００→０００１…のように変化するものである。上記構成に換えて、画面回転制御にはＤＢ１とＤＢ０の２ビットを用い、００→０１→１０→１１→００…のように変化させ、上記ＤＢ１とＤＢ０の２ビットをデコード上記４通りの回転表示（０°、９０°、１８０°及び２７０°）の指示信号を形成するようにするものであってもよい。
【００１３】
以上のような実施例においては、動画コンテンツを見る場合等においてはワイド型テレビ等と同様に横長表示を行うようにするものである。これは配信ソース側で予め横向きにしておくような信号処理を行うことなしてにＬＣＤ（液晶）ドライバにに回転機能を盛り込む事で従来ソースでも対応可能にすることができる。このように携帯電話装置での動画表示が見やすくなる。
【００１４】
現在の携帯電話は、通話・メールといった基本的な機能だけではなく、インターネット配信・カメラ付き等のように機能の多様性が求められている。特に動画配信に対する縦長の表示は違和感があり、横長画面対応が必須である。このような表示回転機能を、例えばＬＣＤドライバに搭載してしまう事で、ＬＣＤドライバ使用顧客・映像配信側の負担を軽減できる。
【００１５】
以上本発明者によってなされた発明を、前記実施形態に基づき具体的に説明したが、本発明は、前記実施形態に限定されるものではなく、その要旨を逸脱しない範囲において種々変更可能である。例えば、回転操作は、画面回転ボタンを１回操作する毎に９０°ずつ回転させものの他、前記比較的長い時間ボタンを押し続けて入力可能モードにしておいて、１回操作すると、９０°回転させ、２回連続して操作すると１８０°回転させ、３回連続して操作すると２７０°回転させるようにしてもよい。また、上記画面回転ボタンによる画面回転機能を他のボタン操作によって有効／無効にするようにしてもよい。この発明は、動画表示やカメラ機能を持つ携帯電話装置に広く利用できる。
【図面の簡単な説明】
【００１６】
【図１】この発明に係る携帯電話装置の一実施例を示す表面図である。
【図２】この発明に係る携帯電話装置の他の一実施例を示す表面図である。
【図３】図３には、液晶駆動回路に対するインストラクション入力設定例が示されている。制御
【図４】従来の携帯電話装置の一例を示す表面図である。
【符号の説明】
【００１７】
Ｒ／Ｗ，ＲＳ…制御信号、ＤＢ１５〜ＤＢ０…データビット、ＴＴ３〜ＴＴ０…表示制御信号。
【図１】
2005286562.tif 000003
【図２】
2005286562.tif 000004
【図３】
2005286562.tif 000005
【図４】
2005286562.tif 000006